(57)【要約】  本発明は、複数の繊維製品１２からなるサイネージシステム１０に関する。各繊維製品は、統合メッセージの一部を形成する表示内容を示すように構成される柔軟な表示装置１４を有する。前記システムは、各柔軟な表示装置１４がさらに、表示内容を示す前に、統合メッセージにおける、他の柔軟な表示装置の表示内容に対する前記柔軟な表示装置の表示内容の位置の指示を示すように構成されることを特徴とする。本発明はさらに、繊維製品１２に各々含まれる複数の柔軟な表示装置１４を用いて統合メッセージを示す方法にも関する。
2010518440.tif 000002
【特許請求の範囲】
【請求項１】
複数の繊維製品からなるサイネージシステムであり、各繊維製品は、統合メッセージの一部を形成する表示内容を示すように構成される柔軟な表示装置を有するサイネージシステムにおいて、各柔軟な表示装置はさらに、前記表示内容を示す前に、前記統合メッセージにおける、他の柔軟な表示装置の表示内容に対する前記柔軟な表示装置の表示内容の位置の指示を示すように構成されることを特徴とするサイネージシステム。
【請求項２】
前記指示は、順番の要素の指示であり、各柔軟な表示装置にとって、順番における前記要素の位置は、前記統合メッセージにおける、前記柔軟な表示装置の表示内容の位置に対応している請求項１に記載のシステム。
【請求項３】
前記要素は、文字若しくは番号の順番からなる文字又は番号である請求項２に記載のシステム。
【請求項４】
前記繊維製品の少なくとも１つはさらに、前記指示を示している間、前記指示を示している前記繊維製品の着用者へ警報を作動するように構成される警告機構を有する請求項１、２又は３に記載のシステム。
【請求項５】
前記繊維製品は衣服、例えばシャツである請求項１乃至４の何れか一項に記載のシステム。
【請求項６】
前記柔軟な表示装置は、ＬＥＤベースの表示装置である請求項１乃至５の何れか一項に記載のシステム。
【請求項７】
繊維製品に各々含まれる複数の柔軟な表示装置を用いて、統合メッセージを示す方法において、
前記統合メッセージの一部を形成する表示内容と、前記統合メッセージにおける、他の柔軟な表示装置の前記表示内容に対する前記柔軟な表示装置の前記表示内容の位置の指示とを各柔軟な表示装置に供給し、
前記柔軟な表示装置が示される前記指示に従って並べられることを可能にする前記指示を前記柔軟な表示装置上に示し、及び
前記柔軟な表示装置上に前記表示内容を示す
ことを有する方法。
【発明の詳細な説明】
【技術分野】
【０００１】
本発明は、複数の繊維製品からなるサイネージシステムに関し、これら繊維製品の各々は、統合メッセージ(unified message)の一部を形成する表示内容を示すように構成される柔軟な表示装置を有する。本発明は、繊維製品に各々含まれる複数の柔軟な表示装置を用いて、統合メッセージを示す方法にも関する。
【背景技術】
【０００２】
柔軟な表示装置を有する繊維製品の一例は、WO2006/014230に開示されている。より正確には、WO2006/014230は、行列パターンのピクセルとして働く複数の発光ダイオードを備えた柔軟な表示スクリーンを開示している。この表示装置は、ジャケット内に取り付けられている。表示装置は例えば、ジャケットの外布に近いポケット又はポーチにより保持され、このポケット又はポーチは、ジャケットの裏地の内側にある。この表示装置は、この装置に接続される制御回路により制御され、このシステムはバッテリーパックにより給電される。これら制御回路及びバッテリーパックが両方ともジャケット内に設置されてもよい。動作するとき、照明されるメッセージ、例えば文章がジャケットの"上"に示されるように、表示装置からの光は、外布を通り伝わる。このようなジャケットは、高速道路及び鉄道職員、又は警察、消防及び救急隊員等の個人用防護服として、プロモーション又はマーケッティングを目的とするイベントに使用されることができる。
【０００３】
より大きなメッセージを示すために、複数の上記表示装置を互いに隣接して使用することが望ましい。この目的のために、WO2006/014230は、観衆の個々のメンバーが小さな領域のスクリーンを表し、これら観衆が集まってより大きなスクリーンを作り上げるスポーツ競技場に起こる一例を開示している。ここで、各個人は携帯電話を用いて電話をして、彼らがいる座席エリア又は立ちエリアを入力する。各個々の電話と通信しているインターネットに連結したコンピューターサーバーは、適切なデータを計算し、各携帯電話に送る。各電話は、有線のインターフェース又は例えばbluetooth（登録商標）のような無線のインターフェースを介して個々の小さなスクリーンにデータを中継する。
【０００４】
しかしながら、より大きな統合メッセージを提供するためのWO2006/014230における解決法及び他の既知の解決法は、関係のある追加の技術的周辺機器が原因により実施するのは高価である。さらに、前記解決法は、幾つかの比較的複雑なステップをユーザに要求し、これは効用度を阻害する。さらに、全てのユーザが必要な携帯電話を身に付けていない。
【発明の概要】
【発明が解決しようとする課題】
【０００５】
本発明の目的は、これら問題を克服することであり、統合メッセージを提供するための改良されたより簡単なサイネージシステムを提供することである。
【０００６】
以下の記載から明らかとなる本目的及び他の目的は、添付の請求項による、サイネージシステム及び統合メッセージを示す方法を用いて達成される。
【課題を解決するための手段】
【０００７】
第１の態様によれば、複数の繊維製品からなるサイネージシステムが提供され、各繊維製品は、統合メッセージの一部を形成する表示内容を示すように構成される柔軟な表示装置を有するサイネージシステムにおいて、各柔軟な表示装置はさらに、前記表示内容を示す前に、前記統合メッセージにおける、他の柔軟な表示装置の表示内容に対する前記柔軟な表示装置の表示内容の位置の指示(indication)を示すように構成されることを特徴とする。
【０００８】
本発明は、前記統合メッセージに関して、他の表示内容に対する表示内容の目標とする位置の指示を最初に示すことは、実際の表示内容が示される前にこれら表示装置が正確に並び替えられることを可能にするという理解に基づいている。
【０００９】
好ましくは、前記指示は順番(sequential order)の要素の指示であり、各柔軟な表示装置にとって、順番におけるこの要素の位置は、前記統合メッセージにおける、前記柔軟な表示装置の表示内容の位置に対応している。例えば、前記統合メッセージ"ＰＨＩＬＩＰＳ"を示すために、ある表示装置は、表示内容"Ｐ"を示すように構成され、もう１つの表示装置は、表示内容"Ｈ"を示すように構成され、第３の表示装置は、表示内容"Ｉ"を示すように構成される等である。これら文字が示される前に、各表示装置は順番の要素の指示を最初に示し、この要素の位置は、前記統合メッセージにおける表示内容の位置に対応している。前記順番は、簡単且つ直観的に認識するための文字又は番号のシーケンス、例えば"１−２−３−４−…"又は"Ａ−Ｂ−Ｃ−Ｄ−…"でもよい。故に、"Ｐ"を示すように構成される表示装置は、最初に"１"を示し、"Ｈ"を示すように構成される表示装置は、最初に"２"を示し、"Ｉ"を示すように構成される表示装置は、最初に"３"を示す等である。この最初に示す間、これら表示装置は、本事例では１−２−３−４−５−６−７である、前記シーケンスの順番に従って並べられるので、好ましくはそれが自動的に起こる、実際のメッセージが全ての表示装置上に示されるとき、"Ｐ−Ｈ−Ｉ−Ｌ−Ｉ−Ｐ−Ｓ"が正確に綴られる。
【００１０】
ある実施例において、前記繊維製品の少なくとも１つは、前記指示を示している間、この指示を示している繊維製品の着用者へ警報を作動するように構成される警報機構、例えばブザー又は振動装置を有するので、この着用者は前記表示装置を正確に並べ替えるために、前記指示に気付くことができる。着用者はこのようにして通知されるので、前記指示を最初に示すことは非常に簡単である。
【００１１】
考えられる実施例において、前記繊維製品は衣服、例えばシャツであり、これは統合メッセージを示すためにプロモーション又はステージ若しくは警備用衣服として使用されることができる。前記指示が示されるとき、好ましくは比較的短い起動時間中に、これらシャツを着ている人が簡単に自分達を正しい順番に並べることができる。前記表示装置上に何ら他の視覚的なマーキングは必要なく、前記指示及び関連する表示内容が各表示装置に事前にプログラムされてもよい。
【００１２】
前記柔軟な表示装置は好ましくは、発光ダイオード（ＬＥＤ）ベースの表示装置である。このようなＬＥＤ表示装置は、非常に薄く且つ柔軟に作られることができ、電力効率もよい。これはシャツに用いられる場合に特に有益である。
【００１３】
もう１つの態様によれば、繊維製品に各々含まれる複数の柔軟な表示装置を用いて、統合メッセージを示す方法を提供し、この方法は、前記統合メッセージの一部を形成する表示内容と、前記統合メッセージにおける、他の柔軟な表示装置の表示内容に対する柔軟な表示装置の表示内容の位置の指示とを各柔軟な表示装置に供給し、前記柔軟な表示装置が示される前記指示に従って並べられることを可能にする前記指示を前記柔軟な表示装置上に示し、及び前記柔軟な表示装置上に前記表示内容を示すことを有する。この態様は、本発明が先に述べた態様と同じ有利さを表している。
【図面の簡単な説明】
【００１４】
【図１ａ】本発明によるサイネージシステムを概略的に示す。
【図１ｂ】本発明によるサイネージシステムを概略的に示す。
【図１ｃ】本発明によるサイネージシステムを概略的に示す。
【図１ｄ】本発明によるサイネージシステムを概略的に示す。
【発明を実施するための形態】
【００１５】
本発明のこれら及び他の態様は、本発明の現在の好ましい実施例を示す添付の図面を参照して、より詳細に説明される。
【００１６】
図１ａから図１ｄは、本発明によるサイネージシステム１０を概略的に示す。このサイネージシステム１０は、複数の繊維製品１２からなる。図１ａから１ｄにおける繊維製品１２は衣服、より正確にはシャツである。代わりに、前記繊維製品が他の衣服、例えばジャケット若しくはベスト、又は家具、バッグ、クッション等でもよい。
【００１７】
各々のシャツは、柔軟な表示装置１４（以下"表示器"１４）を有する。この表示器１４は、シャツ１２の外布の背後に取り付けられる。好ましくは、表示器１４は柔軟な基板（図示せず）上に取り付けられる複数の発光ダイオード（ＬＥＤ）を有する。表示器１４がオン状態であるとき、照明される画像若しくはアニメーション又は他のメッセージが外布を介しシャツ１２上に示される。他方、表示器１４がオフ状態であるとき、表示器１４はシャツ１２の外から殆ど見ることができない。
【００１８】
各表示器１４は、幾つかの表示器によって、示される統合メッセージの一部を形成する表示内容、例えば文字、文章、画像、アニメーション等を示すように構成される。図１ａから１ｄにおいて、各表示器１４は、"ＰＨＩＬＩＰＳ"という文章の文字の１つを示すように構成され、故にこの文章は表示される前記統合メッセージを構成する。この目的のために、前記統合メッセージが示されるとき、シャツ１２は好ましくは、互いに隣接して並べられる。示される特定の文字は、使用する前に、各表示器１４にプログラムされてもよい。
【００１９】
本発明の実施例によれば、実際の統合メッセージを示す前に、各表示器１４はさらに、比較的短い起動時間の間、例えば１０から２０秒、特定の番号を示すように構成される。この場合（７枚のシャツ）、１−２−３−４−５−６−７の番号が用いられる。１−２−３−４−５−６−７の順番における番号の位置は、統合メッセージにおける表示器の文字の位置に対応すべきであり、この場合、"Ｐ"は１に対応し、"Ｈ"は２に対応し、"Ｉ"は３に対応し、"Ｌ"は４に対応し、"Ｉ"は５に対応し、"Ｐ"は６に対応し、及び"Ｓ"は７に対応することを意味する。故に、"Ｐ"を示すように構成される表示器は最初に"１"を示し、"Ｈ"を示すように構成される表示器は最初に"２"を示し、"Ｉ"を示すように構成される表示器は最初に"３"を示す等である。示される特定の番号は、使用する前に各表示器１４にプログラムされてもよい。
【００２０】
図１ａにおいて、全ての表示器１４は最初にオフ状態となる。この状態において、どの表示器がどれであるかに関する視覚的な指示はない。図１ｂにおいて、表示器１４はオン状態となり、各表示器１４は上述したような特定の番号を示す。これらの番号が示されている時間中、シャツを着ている人は簡単に自分達を正しい順番、本事例では１−２−３−４−５−６−７（図１ｃ）に並ぶことができる。次いで、表示器１４は切り換わり、実際のメッセージを示す。表示器１４は既に図１ｃにおいて前記シーケンス１−２−３−４−５−６−７に従って並び替えられているので、"Ｐ−Ｈ−Ｉ−Ｌ−Ｉ−Ｐ−Ｓ"という文章が、図１ｄにおける統合メッセージのように、直ちに正確に綴られる。
【００２１】
他の実施例において、前記シャツは、例えばブザー又は振動装置のような警報機構（図示せず）を装備してもよく、この警報機構は、位置の指示（上記実施例では１−７の番号）を最初に示している間、位置又は並べ替えの指示が表示されていることをユーザに警報するように作動するので、着用者はこれら表示器を正しく並べ替えるために、前記指示に気付くことができる。
【００２２】
当業者は、本発明が上述した好ましい実施例に決して限定されないことを理解している。一方、多くの改良及び変形が添付される請求項の範囲内で可能である。例えば、３つの表示器に対し、上記のような１−２−３の代わりに、実際のメッセージを表示する前に、前記統合メッセージがすぐに適切に示されるように、これら表示器が正しく並べ替えられることを可能にする、"左"−"真ん中"−"右"の指示が夫々最初に示されてもよい。さらに、碁盤目又は行列状の表示器により形成される統合メッセージの場合、前記表示器は例えば、"Ａ１"、"Ａ２"、"Ａ３"、"Ｂ１"、"Ｂ２"、"Ｂ３"、"Ｃ１"等のような座標形式で指示を最初に示してもよい。
【図１ａ】
2010518440.tif 000003
【図１ｂ】
2010518440.tif 000004
【図１ｃ】
2010518440.tif 000005
【図１ｄ】
2010518440.tif 000006
【国際調査報告】
2010518440.tif 000007
2010518440.tif 000008
2010518440.tif 000009